(57)【特許請求の範囲】
【請求項１】
バルコニー，ベランダ等に床材を敷設するに当たり、当該床材をバルコニー，ベランダ等に設けられた溝上にも敷設するための部材であって、溝幅よりも幅の広い床材載置用平面を備えた平板状本体部の一辺に脚部が一体的に形成され、その脚部は、平板状本体部の一辺から略垂直に屈曲した垂直部と、その垂直部の先端から上記本体部側に屈曲して当該本体部に略平行に伸びる平行部を含むとともに、その平行部は溝幅よりも幅が狭く、かつ、溝底面に対する高さ調整機構が設けられていることを特徴とする溝上への床材敷設用部材。
【請求項２】
上記高さ調整機構が、上記脚部の平行部に固着されたナットと、そのナットにねじ込まれたボルトによって構成されていることを特徴とする請求項１に記載の溝上への床材敷設用部材。
【請求項３】
上記平板状本体部には、上記ボルトのねじ込み位置に応じた位置に高さ調整用貫通孔が形成されていることを特徴とする、請求項２に記載の溝上への床敷設用部材。
【請求項４】
上記平板状本体部に、排水用貫通孔が形成されていることを特徴とする、請求項１、２または３に記載の溝上への床材敷設用部材。
【発明の詳細な説明】
【０００１】
【発明の属する技術分野】
本発明は、バルコニーやベランダ、あるいはテラス等の床の表面に、所定の面積を有するブロック状の床材を敷きつめるに当たり、バルコニーやベランダ等に形成された排水溝等の溝上にも床化粧材を敷きつめる際に用いられる、溝上への床材敷設用部材に関する。
【０００２】
【従来の技術】
バルコニーやベランダ等に対する床材（デッキ材）の敷設構造としては、従来、例えば実公昭５６−５１５６３号等に見られるように、係止溝を備えた固定基板を根太上に複数個固ネジ止めするとともに、バルコニー等の寸法に合わせて切断された長尺のデッキ材の裏面側の突条を各固定基板の係止溝に圧入嵌合するなどの構造が採られていた。
【０００３】
これに対し、近年、コンクリート等によって構成されたバルコニーやベランダの床面を覆う床材として、相互に連結可能な枠体に表面化粧材を固着してなり、かつ、敷設面との間に排水空間が形成されるようなブロック状の床化粧材が実用化されている。
【０００４】
このようなブロック状の床化粧材においては、各ブロックの枠体どうしを連結しながら敷設面に置いていくだけで敷設され、極めて施工性が良好で、しかも床化粧面の上の雨水等は床化粧材を通過して、敷設面との間に形成された排水空間を流れることから、排水性にも優れているという利点がある。
【０００５】
【発明が解決しようとする課題】
ところで、以上のようなブロック状の床化粧材の敷設に当たって、敷設すべきバルコニーやベランダに排水溝が形成されている場合、その溝の上を覆うように床化粧材を敷設すれば、実質的にその分だけバルコニー等を広く使用することが可能となって好ましいが、この場合、床化粧板はその溝の上において片持ち支持状態となり、バランスが保てないか、あるいはバランスを保てたとしても、このような支持状態にある床化粧板の上に人が乗ったり歩行したりした場合には甚だ危険である。
【０００６】
本発明はこのような実情に鑑みてなされたもので、ベランダやバルコニーに任意の幅および深さの排水溝が存在していても、その排水溝の上にも、安全性を保ちながら容易に床化粧板等を敷設することのできる、溝上への床材敷設用部材の提供を目的としている。
【０００７】
【課題を解決するための手段】
上記の目的を達成するための構成を、実施の形態を表す図１，図２を参照しつつ説明すると、本発明の溝上への床材敷設用部材は、当該部材が用いられる溝Ｇの幅Ｗg よりも幅の広い床材載置用平面１ａを備えた平板状本体部１の一辺に脚部２を一体的に形成したものとし、その脚部２は、平板状本体部１の一辺から略垂直に屈曲した垂直部２１と、その垂直部２１の先端から本体部１側に再度屈曲して当該本体部１に略平行に伸びる平行部２２を含むものとするとともに、その平行部２２は溝幅Ｗg よりも幅が狭く、かつ、溝底面Ｇb に対する本体部１の高さ調整機構３を設けた構成としている。
【０００８】
ここで、本発明における高さ調整機構３は、例えば脚部２の水平部２２に固着されたナット３１と、そのナット３１にねじ込まれたボルト３２によって構成することができる。この場合、平板状本体部１には、当該本体部１を介してボルト３２を回動させるための調整用貫通孔１１を形成することが施工性のうえで望ましい。
【０００９】
また、本発明における平板状本体部１には、その上に敷設される床化粧板を通して落下する雨水等を溝Ｇに直接的に導くための排水用貫通孔１２を形成することが望ましい。
【００１０】
本発明の溝上への床材敷設用部材は、脚部２が溝Ｇ内に挿入され、平板状本体部１が溝Ｇの開口部分を覆って、脚部２の形成辺と反対側の辺１３がバルコニー等の上面（被敷設面）Ｆに差し渡され、その平板状本体部１の上面の床材載置用平面１ａに床材４が支持された状態で使用される。この使用状態において、平板状本体部１の辺１３はバルコニー等の上面に載せられるだけであるため、多種の溝幅Ｗg に対応してその開口面を覆うことが可能であるし、また、高さ調整機構３の調整によって溝底面Ｇb に対する平板状本体部１の高さを調整することができるため、多種の溝深さＤg に対応して、その開口面の上を被敷設面Ｆに沿った平面で覆うことが可能となる。なお、溝Ｇの上に敷設される床材４は、平板状本体部１の厚さ分だけ被敷設面Ｆよりも高くなるが、これは、ブロック状の床材４と被敷設面Ｆとの間の排水用空隙を形成するための、床材４の枠体４ａの足４１を適宜に切断する等によって容易に対処可能である。
【００１１】
【発明の実施の形態】
図１は本発明の実施の形態の斜視図でである。
平板状本体部１は矩形の平板であり、その上面は床材載置用平面１ａを形成しているとともに、その一辺には脚部２が一体的に形成されている。この平板状本体部１の幅Ｗは、バルコニーやベランダ、テラス等に形成される各種の排水溝の幅寸法（後述の図２においてＷg で示す）を殆ど全てカバーし得る程度に広く設定される。脚部２は、平板状本体部１の一辺から垂直に屈曲する垂直部２１と、その垂直部２１の先端から本体部１側に向けて再度垂直に屈曲して本体部１と平行に伸びる平行部２２からなっている。これらの本体部１と脚部２は、例えば鋼板の表面を塩化ビニルや他の樹脂で被覆した、いわゆる塩ビ鋼板や化粧鋼板等を曲げ成形することによって得ている。
【００１２】
脚部２の平行部２２には、その両端部近傍にそれぞれ高さ調整機構３が設けられている。この各高さ調整機構３は、この例においては、平行部２２の両端近傍に固着されたナット３１（一方のナットは図示せず）と、そのナット３１にねじ込まれたボルト３２によって構成されており、各ボルト３２はその頭部３２ａを下向きにした状態で各ナット３１にねじ込まれている。また、各ボルト３２の胴部の先端面には、ドライバ等によってボルトを回動させるためのマイナス溝３２ｂが形成されている。
【００１３】
平板状本体部１には、各ナット３１の固着位置に合わせて、これらの直上にそれぞれ調整用貫通孔１１が形成されているとともに、多数の排水用貫通孔１２が形成されている。
【００１４】
図２は以上の本発明の実施の形態の使用状態の説明図である。
この図２において、Ｆはバルコニー上面等の床材の被敷設面であり、Ｇはその被敷設面Ｆの端部に形成された排水溝を示している。床材４は前記したブロック状の床化粧材であって、枠体４ａとその表面を覆う表面材４ｂによって構成されており、枠体４ａの裏面には、被敷設面Ｆとの間に排水用の空隙を形成すべく、複数の脚４１が形成されている。各床材４は、それぞれの枠体４ａに形成された連結用の凹凸（図示せず）によって相互に連結された状態で、被敷設面Ｆ上に敷きつめられる。
【００１５】
さて、本発明の実施の形態は、その脚部２を排水溝Ｇ内に挿入して、各ボルト３２の頭部３２ａを溝Ｇの底面Ｇb に当接させるとともに、平板状本体部１の脚部２が形成された辺と反対側の辺１３が被敷設面Ｆの上に支持された状態で使用される。このとき、本発明の実施の形態を、平板状本体部１の脚部２の形成側の辺を溝Ｇ一側面に沿わせるように図２中左右方向に位置調整する。この状態において、本体部１の幅Ｗは溝Ｇの幅Ｗg よりも広いため、脚部２の形成辺と反対側の辺１３が溝Ｇの他側面を越えて被敷設面Ｆの上に乗った状態となり、溝Ｇはその全幅が覆われる。
【００１６】
また、溝Ｇ内に脚部２を挿入した状態で、本体部１の調整用貫通孔１１を介してドライバをボルト３２のマイナス溝３２ｂ内に挿入して回動し、本体部１の脚部２の形成側の辺の高さを溝Ｇの深さＤｇに合わせて調整することにより、本体部１の床材載置用平面１ａが被敷設面Ｆと平行になるようにセットする。
【００１７】
以上の調整が終了した後、被敷設面Ｆおよび床材載置用平面１ａの上に床材４を敷きつめる。この際、床材載置用平面１ａは被敷設面Ｆに対して平板状本体部１の厚さ分だけ高くなっているため、床材載置用平面１ａ上に敷く床材４については、その枠体４ａの脚４１のうち、同平面１ａ上に乗る脚４１をニッパー等を用いて本体部１の厚さ分だけ切断する。これにより、全ての床材４の表面が同一の平面上に沿った状態となる。
【００１８】
このような床材敷設状態においては、溝Ｇ上にも床材４が敷設されてその分だけ実質的にバルコニー等を広く使えるとともに、その溝Ｇ上の床材４は、一辺１３側が被敷設面Ｆに支承され、かつ、他端が脚部２によって支持された平板状本体部１によって確実に支えられているため、その上を人が歩行しても全く危険はない。また、床材４の上に降り注いだ雨水等は、各床材４間の間隙等を介して被敷設面Ｆ上を溝Ｇに向けて流れることになるが、その雨水は平板状本体部１に形成された排水用貫通孔１２を介して溝Ｇ内に流入し、排水溝としての機能を妨げることがない。
【００１９】
なお、平板状本体部１に形成された排水用貫通孔１２については、以上の実施の形態において示した形状に限定されることなく任意とすることができ、更にはこのような貫通孔１２を設けることなく、例えば一辺１３側から溝Ｇの上にまで続く切欠を設ける等の変形が可能であることは勿論である。
【００２０】
また、高さ調整機構３については、上記した実施の形態で例示したボルト３２とナット３１によるもののほか、他の公知の機構を採用し得ることは言うまでもない。
【００２１】
【発明の効果】
以上のように、本発明によれば、溝幅よりも幅の広い床材載置用平面を持つ平板状本体部に脚部を一体形成するとともに、その脚部に高さ調整機構を設けた簡単な構造によって、各種の幅および深さを持つ排水溝に適用して、その溝の上にも容易に床材を敷きつめることが可能となり、その分だけバルコニーやテラス等を実質的に広く使用することが可能となる。しかも、溝上に敷設された床材はその下面が確実に支えられているため、歩行時に全く危険を伴う恐れもない。
【図面の簡単な説明】
【図１】本発明の実施の形態を示す斜視図
【図２】その使用状態の説明図
【符号の説明】
１  平板状本体部
１１  調整用貫通孔
１２  排水用貫通孔
２  脚部
２１  垂直部
２２  平行部
３  高さ調整機構
３１  ナット
３２  ボルト
４  床材
Ｆ  被敷設面
Ｇ  排水溝
【図１】
0003654706.tif 000002
【図２】
0003654706.tif 000003